(57)【要約】【課題】  ブラインドタッチの操作性を向上させる。【解決手段】  タッチパネル４７は、選択のための２つの選択用感応エリアを重複しない位置で少し離して具備し、他に、決定操作用の決定感応エリアを具備する。システム制御装置２６は、タッチパネル４７のタッチ位置情報をメモリ３０に記憶する。システム制御装置２６は、メモリ３０のタッチ位置情報に基づき、直前に操作されたのが選択用感応エリアの場合に、その選択用感応エリアを拡大して、次の操作を待機する。【選択図】  図１
2008146429.tif 000002
【特許請求の範囲】
【請求項１】
複数の選択項目を表示する表示装置（４４）と、
前記表示装置により表示される選択項目に対する操作を指示入力する面操作手段であって、前記複数の選択項目の内の異なる選択項目に対して、互いに重複しない位置に第１及び第２の感応域（４７ａ，４７ｂ；１４７ａ，１４７ｂ；１４７ｅ，１４７ｆ）を有する面操作手段（４７）と、
前記面操作手段の前記第1及び第２の感応域の操作に応じて、前記表示装置の表示内容を変更する表示制御手段（２６）と、
前記第１の感応域への操作に応じて前記第１及び第２の感応域の一方の面積を拡大し、前記第２の感応域への操作に応じて前記第１及び第２の感応域の他方の面積を拡大する感応域制御手段（３８ａ）
とを具備することを特徴とする操作デバイス。
【請求項２】
前記面操作手段がタッチパネルであることを特徴とする請求項１に記載の操作デバイス。
【請求項３】
前記第１及び第２の感応域が、前記面操作手段の操作面内で左右方向及び上下方向の何れかに並んで配置されることを特徴とする請求項１又は２に記載の操作デバイス。
【請求項４】
前記面操作手段が、面積を拡大される前の前記第１及び第２の感応域の間に、面積の拡大により、前記第１及び第２の感応域に合体されて感応域となる非感応域（４７ｄ，１４７ｄ，１４７ｈ）を具備することを特徴とする請求項１乃至３の何れか１項に記載の操作デバイス。
【請求項５】
前記面操作手段が、操作の決定を指示入力する第３の感応域（４７ｃ，１４７ｃ，１４７ｇ）を具備することを特徴とする請求項１乃至４の何れか１項に記載の操作デバイス。
【請求項６】
前記感応域制御手段は、前記第１の感応域への操作に応じて前記第１の面積を拡大し、前記第２の感応域への操作に応じて前記第２の感応域の他方の面積を拡大することを特徴とする請求項１乃至５の何れか１項に記載の操作デバイス。
【請求項７】
前記感応域制御手段は、前記第１の感応域への操作に応じて前記第２の面積を拡大し、前記第２の感応域への操作に応じて前記第１の感応域の他方の面積を拡大することを特徴とする請求項１乃至５の何れか１項に記載の操作デバイス。
【請求項８】
前記感応域制御手段は、
前記第１の感応域の面積が拡大された状態での、前記第１の感応域以外の感応域への操作に対して、前記第1の感応域の面積を元に戻し、
前記第２の感応域の面積が拡大された状態での、前記第２の感応域以外の感応域への操作に対して、前記第1の感応域の面積を元に戻す
ことを特徴とする請求項６又は７に記載の操作デバイス。
【請求項９】
前記面操作手段が、前記表示手段の表示画面と前記面操作手段の操作面とを同時に見ることができない位置に設置されていることを特徴とする請求項１乃至８の何れか１項に記載の操作デバイス。
【請求項１０】
前記第１の感応域と第２の感応域は、前記表示装置に表示された複数の選択項目の表示方向に対応した位置に配置されることを特徴とする請求項１に記載の操作デバイス。
【請求項１１】
前記複数の選択項目は前記表示装置の左右方向に表示され、前記第１の感応域と第２の感応域は前記操作面内で左右方向に配置されることを特徴とする請求項１０に記載の操作デバイス。
【請求項１２】
前記複数の選択項目は前記表示装置の上下方向に表示され、前記第１の感応域と第２の感応域は前記操作面内で上下方向に配置されることを特徴とする請求項１０に記載の操作デバイス。
【請求項１３】
複数の選択項目を表示する表示装置と、
前記表示装置により表示される選択項目に対する操作を指示入力する面操作手段であって、互いに重複しない位置に第１及び第２の感応域を有する面操作手段と、
前記面操作手段の第1及び第２の感応域が操作された場合、前記複数の選択項目のうち選択中の項目を予め決められた順序に従い変更する項目選択手段と、
前記項目選択手段により選択中の項目を他の選択項目と区別可能に表示する表示制御手段
とを備えることを特徴とする操作デバイス。
【請求項１４】
前記項目選択手段は、前記表示装置に表示された複数の選択項目の表示順に従い前記複数の選択項目のうち選択中の項目を変更することを特徴とする請求項１３に記載の操作デバイス。
【請求項１５】
複数の選択項目を表示する表示装置（４４）と、
前記表示装置により表示される選択項目に対する操作を指示入力する面操作手段であって、前記複数の選択項目の内の異なる選択項目に対して、互いに重複しない位置に第１及び第２の感応域（４７ａ，４７ｂ；１４７ａ，１４７ｂ；１４７ｅ，１４７ｆ）を有する面操作手段（４７）と、
前記面操作手段の前記第1及び第２の感応域の操作に応じて、前記表示装置の表示内容を変更する表示制御手段（２６）と、
前記第１の感応域または第２の感応域への操作に応じて、前記第１の感応域または第２の感応域の面積を拡大する感応域制御手段（３８ａ）
とを具備することを特徴とする操作デバイス。
【請求項１６】
複数の選択項目を表示する表示装置（４４）と、
前記表示装置により表示される選択項目に対する操作を指示入力する面操作手段であって、前記複数の選択項目の内の異なる選択項目に対して、互いに重複しない位置に第１及び第２の感応域（４７ａ，４７ｂ；１４７ａ，１４７ｂ；１４７ｅ，１４７ｆ）を有する面操作手段（４７）と、
前記面操作手段の前記第1及び第２の感応域の操作に応じて、前記表示装置の表示内容を変更する表示制御手段（２６）
とを具備する操作デバイスを制御する方法であって、
前記第１の感応域への直前の操作に対して前記第１の感応域の面積を拡大し、
前記第２の感応域への直前の操作に対して前記第２の感応域の面積を拡大する
ことを特徴とする操作デバイスの制御方法。
【請求項１７】
更に、
前記第１の感応域の面積が拡大された状態での、前記第１の感応域以外の感応域への操作に対して、前記第1の感応域の面積を元に戻し、
前記第２の感応域の面積が拡大された状態での、前記第２の感応域以外の感応域への操作に対して、前記第1の感応域の面積を元に戻す
ことを特徴とする請求項１６に記載の操作デバイスの制御方法。
【請求項１８】
前記第１及び第２の感応域が、前記面操作手段の操作面内で左右方向及び上下方向の何れかに並んで配置されることを特徴とする請求項１６又は１７に記載の操作デバイスの制御方法。
【請求項１９】
前記面操作手段が、面積を拡大される前の前記第１及び第２の感応域の間に、面積の拡大により、前記第１及び第２の感応域に合体されて感応域となる非感応域（４７ｄ，１４７ｄ，１４７ｈ）を具備することを特徴とする請求項１６乃至１８の何れか１項に記載の操作デバイスの制御方法。
【請求項２０】
前記面操作手段が、操作の決定を指示入力する第３の感応域（４７ｃ，１４７ｃ，１４７ｇ）を具備することを特徴とする請求項１６乃至１９の何れか１項に記載の操作デバイスの制御方法。
【請求項２１】
前記面操作手段が、前記表示手段の表示画面と前記面操作手段の操作面とを同時に見ることができない位置に設置されていることを特徴とする請求項１６乃至２０の何れか１項に記載の操作デバイスの制御方法。
【請求項２２】
請求項１乃至６の何れかに記載の操作デバイスを具備することを特徴とする撮像装置。
【請求項２３】
前記表示装置が電子ビューファインダであり、
更に、第２の表示装置を具備し、
前記面操作手段が、前記第２の表示装置の表示画面上に装備されている
ことを特徴とする請求項１９に記載の撮像装置。
【発明の詳細な説明】
【技術分野】
【０００１】
本発明は、タッチパネルと表示装置を有する操作デバイスとその制御方法、並びに撮像装置に関する。
【背景技術】
【０００２】
従来、大画面の液晶表示パネル及び電子ビューファインダＥＶＦ（Electrical View Finder）を備えたデジタルビデオカメラには、液晶表示パネルの画面上にタッチパネルを装備したものがある。その液晶表示パネルの画面には、撮影被写体のみならず、各種機能アイコンやメニューリスト等が表示され、ユーザは、タッチパネル上を指で触るなどして、種々の指示を入力できるようになっている。
【０００３】
この種の装置において、ＥＶＦを覗いての撮影において、ユーザがメニュー操作等をすることが考えられる。この場合、液晶表示パネルとデジタルビデオカメラを繋ぐ回転ヒンジ部で、液晶表示パネルを開くか、１８０度回転させてタッチパネル面を外向きにするかしなければならない。この何れかの状態で、ユーザは、ＥＶＦを覗きながらＥＶＦ内に表示される機能ボタンを液晶表示パネルのタッチパネルで操作することになる。しかし、ＥＶＦの画面内に表示されるメニュー／機能ボタン等の表示位置と、タッチパネルによる選択・決定のために触るべき位置が、一般的には異なるから、メニュー／機能ボタンの細かい選択・決定操作には適さない。液晶表示パネルを外向きにした場合には、ブラインドタッチになるのでは、なおさら困難になる。
【０００４】
このような問題点を解決する手段が、特許文献１に記載されている。特許文献１には、表示する機能ボタンの位置と、ブラインドタッチで触ることになるタッチパネルのタッチ位置とを１対１に対応させ、且つ、機能ボタンと入力判定エリアの配置を画面四隅に限定することで、ブラインドタッチ入力を可能としている。
【特許文献１】特開２００１−３２６８４３号公報
【発明の開示】
【発明が解決しようとする課題】
【０００５】
しかし、特許文献１に記載の構成では、タッチパネルの四隅にしか機能ボタンを設けられず、機能ボタンの数と表示位置に制約が生じてしまう。また、ブラインドタッチでは、操作部分を直接、見ることができないので、多くの機能ボタンを設けることが困難であり、機能ボタンの表示位置にも制約が生じる。操作者は、自身の頭の中で操作パネル上の機能ボタンの位置を常時、イメージしている必要があり、快適な操作とは言えない。
【０００６】
通常の表示画面を見ながらの操作と、ブラインドタッチでの操作とで、メニュー画面構成を変更すると、開発負担が重くなるだけでなく、ユーザには、操作状況に応じた２種類の操作方法を覚えてもらうことになり、煩雑である。
【０００７】
そこで、本発明は、上記の問題点に鑑み、ブラインドタッチ操作で、確実且つ容易に種々の指示を入力できる操作デバイス及びその制御方法、並びに撮像装置を提示することを目的とする。
【課題を解決するための手段】
【０００８】
上記の目的を達成するために、本発明に係る操作デバイスは、複数の選択項目を表示する表示装置と、前記表示装置により表示される選択項目に対する操作を指示入力する面操作手段であって、前記複数の選択項目の内の異なる選択項目に対して、互いに重複しない位置に第１及び第２の感応域を有する面操作手段と、前記面操作手段の前記第1及び第２の感応域の操作に応じて、前記表示装置の表示内容を変更する表示制御手段と、前記第１の感応域への操作に応じて前記第１及び第２の感応域の一方の面積を拡大し、前記第２の感応域への操作に応じて前記第１及び第２の感応域の他方の面積を拡大する感応域制御手段とを具備することを特徴とする。
【０００９】
本発明に係る操作デバイスは、複数の選択項目を表示する表示装置と、前記表示装置により表示される選択項目に対する操作を指示入力する面操作手段であって、互いに重複しない位置に第１及び第２の感応域を有する面操作手段と、前記面操作手段の第1及び第２の感応域が操作された場合、前記複数の選択項目のうち選択中の項目を予め決められた順序に従い変更する項目選択手段と、前記項目選択手段により選択中の項目を他の選択項目と区別可能に表示する表示制御手段とを備えることを特徴とする。
【００１０】
本発明に係る操作デバイスは、複数の選択項目を表示する表示装置と、前記表示装置により表示される選択項目に対する操作を指示入力する面操作手段であって、前記複数の選択項目の内の異なる選択項目に対して、互いに重複しない位置に第１及び第２の感応域を有する面操作手段と、前記面操作手段の前記第1及び第２の感応域の操作に応じて、前記表示装置の表示内容を変更する表示制御手段と、前記第１の感応域または第２の感応域への操作に応じて、前記第１の感応域または第２の感応域の面積を拡大する感応域制御手段とを具備することを特徴とする。
【００１１】
本発明に係る操作デバイスの制御方法は、複数の選択項目を表示する表示装置と、前記表示装置により表示される選択項目に対する操作を指示入力する面操作手段であって、前記複数の選択項目の内の異なる選択項目に対して、互いに重複しない位置に第１及び第２の感応域を有する面操作手段と、前記面操作手段の前記第1及び第２の感応域の操作に応じて、前記表示装置の表示内容を変更する表示制御手段とを具備する操作デバイスを制御する方法であって、前記第１の感応域への直前の操作に対して前記第１の感応域の面積を拡大し、前記第２の感応域への直前の操作に対して前記第２の感応域の面積を拡大することを特徴とする。
【００１２】
本発明に係る撮像装置は、上述のヒューマンインターフェース装置を具備する。
【発明の効果】
【００１３】
本発明によれば、直前の操作に応じて感応域を拡大するので、ブラインドタッチでの操作、特に連続する操作が容易になる。
【発明を実施するための最良の形態】
【００１４】
以下、図面を参照して、本発明の実施例を詳細に説明する。
【実施例１】
【００１５】
図１は、本発明の一実施例である撮像装置１０の概略構成ブロック図を示す。本発明の一実施形態に係る撮像装置の外観図である。実線は画像データの流れを示し、破線はイネーブル信号等の制御信号を示す。撮像装置１０は、例えば、デジタルビデオカメラ又はデジタルスチルカメラ等である。図２は、撮像装置の液晶表示パネルをＸ軸を中心に９０度開いた状態の斜視図を示す。図３は、撮像装置の液晶表示パネルを、図２に示す状態からＹ軸を中心に９０度回転し、撮像装置の側面に倒した状態、即ち、表示画面を外向きにした状態の斜視図を示す。
【００１６】
撮像装置１０は、撮影レンズ１２、レンズ駆動装置１４、ＣＣＤ（Charge Coupled Device）撮像素子１６、ＴＧ（タイミングジェネレータ）１８、ＣＤＳ（Correlated Double Sampling）／ＡＧＣ（Auto Gain Controller）回路２０、Ａ／Ｄ変換器２２、カメラ信号処理装置２４、システム制御装置２６、メモリ制御装置２８、メモリ３０、記録再生装置３２、記録媒体３４、デジタルデータＩ／Ｆ３６、ビデオ制御装置３８、テープ記録再生装置４０、磁気テープ４２、ＥＶＦ（Electrical View Finder）４４、液晶表示パネル（ＬＣＤ）４６、タッチパネル４７、回転ヒンジ４８、ライン入出力端子５０、操作装置５２及び計時装置５４を具備する。
【００１７】
撮影レンズ１２は、自動合焦のためのフォーカシングレンズ、及び光学ズームのためのズームレンズを具備し、被写体からの光学像をＣＣＤ撮像素子１６に入射する。なお、撮影レンズ１２は、絞り及び機械シャッタを具備することもある。
【００１８】
レンズ駆動装置１４は、システム制御装置２６からの制御信号に従い、絞り、フォーカシングレンズ及びズームレンズを駆動する。なお、撮影レンズ１２の鏡筒には、手動合焦のためのＭＦ（マニュアルフォーカス）リングと、マニュアルフォーカス／オートフォーカスの切替えスイッチを具備し、例えば切替えスイッチでマニュアルフォーカスモードに切り替え、ＭＦリングを円周方向に回すことで、ピントを手動調整できる。
【００１９】
ＣＣＤ撮像素子１６は、撮影レンズ１２による光学像を電気画像信号に変換する。なお、ＣＣＤ撮像素子１６の代わりに、ＣＭＯＳ（Complementary Metal Oxide Semiconductor）撮像素子でもよい。ＴＧ１８は、撮像素子１６、カメラ信号処理装置２４及びシステム制御装置２６に互いに同期したタイミング信号を供給する。ＣＣＤ撮像素子１６は、ＴＧ１８からのタイミング信号に従って画像信号を出力する。
【００２０】
ＣＤＳ／ＡＧＣ回路２０は、ＣＣＤ撮像素子１６からのアナログ信号をサンプリングして不要なノイズを除去するとともに、信号レベルを自動制御する。Ａ／Ｄ変換器２２は、ＣＤＳ／ＡＧＣ２０回路からの電気画像信号をデジタル信号に変換する。カメラ信号処理装置２４は、ＴＧ１８からのタイミング信号に従って動作し、色バランス調整、自動露出（ＡＥ：Auto Exposure）制御及びガンマ調整等の周知のカメラ信号処理を行い、システム制御装置２６と連携して、撮影レンズ１２のフォーカスを自動制御する。また、カメラ信号処理装置２４は、オートフォーカス（ＡＦ）用の測距枠を画面格子状に９点、設定でき、その全部を利用する測距や、中心部のみの測距枠を使用する測距等を選択できる。測距に実際に利用される１又は複数の測距枠を、まとめて「測距エリア」と呼ぶ。カメラ信号処理装置２４は、測距エリア内の被写体までの距離を算出できる。
【００２１】
ここで、フォーカスの調整動作を簡単に説明する。カメラ信号処理装置２４は、ＡＦ動作時には、Ａ／Ｄ変換器２２からの画像データから、例えばその高周波成分により、合焦度を検出し、検出した合焦度を示す情報をシステム制御装置２６に送る。システム制御装置２６は、カメラ信号処理装置２４からの合焦度情報に基づきレンズ駆動装置１４により撮影レンズ１２のフォーカスレンズを駆動して、撮影レンズ１２のフォーカスを制御する。一方、マニュアルフォーカス（ＭＦ）の際には、ユーザが、撮影レンズ１２の鏡筒の外周に設けられたフォーカスリングを操作する。この操作で、直接、撮影レンズ１２のフォーカスレンズを駆動するか、又は、システム制御装置２６がフォーカスリングの操作方向とその量に従い、レンズ駆動装置１４により撮影レンズ１２のフォーカスレンズを駆動する。
【００２２】
システム制御装置２６は、撮像装置１０を構成する各部を制御する。メモリ制御装置２８は、システム制御装置２６又はカメラ信号処理装置２４によるメモリ３０へのアクセスを制御する。本実施例では、システム制御装置２６は、画像の符号化回路及び復号化回路を具備し、その符号化回路は、ＭＰＥＧ（Moving Picture Experts Group phase）２、ＭＰＥＧ４、Ｍｏｔｉｏｎ  ＪＰＥＧ（Joint Photographic Experts Group）又はＪＰＥＧ２０００等の公知の圧縮方式により、カメラ信号処理装置２４からのデジタル画像信号を圧縮符号化し、圧縮データを生成する。
【００２３】
メモリ３０は、システム制御装置２６で実行される処理手順等に対応したプログラムと所要のデータテーブルを記憶するＲＯＭ（Read Only Memory）と、カメラ信号処理装置２４及びシステム制御装置２６のワークバッファとして利用されるＲＡＭ（Random Access Memory）と、電源オフ時にも設定値を保持するＥＥＰＲＯＭ（Electronically Erasable and Programmable Read Only Memory）等から構成されている。また、メモリ３０には、後述するタッチパネル４７のタッチ位置情報が格納される。
【００２４】
記録再生装置３２は、記録媒体３４への記録処理と記録媒体３４からの再生処理を実行する。記録媒体３４は、不揮発性半導体メモリ（いわゆるメモリカード）、ＨＤＤ（Hard Disk Drive）、又はＤＶＤ（Digital Versatile Disk）等に準拠する記録再生可能な光ディスクからなる。
【００２５】
デジタルインタフェース（Ｉ／Ｆ）３６は、ＩＥＥＥ（Institute of Electrical and Electronic Engineers）１３９４又はＵＳＢ（Universal Serial Bus）等の規格に準拠し、各種ケーブルを用いて外部撮像装置又は外部ＰＣ（Personal Computer）等の編集器を接続可能であり、接続された機器との間で、画像データ又は各種制御情報をやり取りする。
【００２６】
ビデオ制御装置３８は、液晶表示パネル４６、ＥＶＦ４４及びテープ記録再生装置４０を制御し、液晶表示パネル４６、ＥＶＦ４４、ライン入出力端子５０及びテープ記録再生装置４０間で画像信号を仲介する。また、ビデオ制御装置３８は、タッチパネル４７のタッチ位置情報を検出する検出装置３８ａを具備する。
【００２７】
テープ記録再生装置４０は、磁気テープ４２への記録処理と磁気テープ４２からの再生処理を行う。磁気テープ４２には、ＤＶフォーマット（ＳＤモード）又はＨＤＶフォーマット（ＨＤモード）等でエンコードされた映像信号が記録再生可能である。
【００２８】
ＥＶＦ４４は、ビデオ制御装置３８からの画像データ、より具体的には撮像素子１６に入射する光学像を表す画像を表示し、また、シャッタ速度等の撮影パラメータや、操作装置５２の入力操作情報も表示する。
【００２９】
液晶表示パネル４６は、ＥＶＦ４４と同様に、記録再生装置３２又はテープ記録再生装置４０からの画像データを画像として表示し、操作装置５２の入力操作情報を表示する。
【００３０】
また、液晶表示パネル４６の画面上には、請求項に規定される面操作手段として、圧力変化又は静電気変化を感知するタッチパネル４７を装備されている。ユーザは、例えば指でタッチパネル４７に触れることで、各種操作が行える。タッチパネル４７の構成は、後で詳細に説明する。
【００３１】
液晶表示パネル４６は、回転ヒンジ４８により撮像装置１０の側面に装着されている。回転ヒンジ４８により、図２に示すように、Ｘ軸を中心に９０度回転して、液晶表示パネル４６を撮影者側に向けた状態（以下、対面位置又は対面状態という）、及び、更に、Ｙ軸を中心に１８０度回転し、撮像装置１０の側面に戻すことで、撮像装置１０の側面で外方向に表示画面を向いた状態（以下、外向き位置又は外向き状態という）に配置できる。このような回転ヒンジ４８自体は、周知である。
【００３２】
ライン入出力端子５０は、アナログコンポーネント端子又はＳ端子等からなる。であり、コンポジット映像信号を入出力できる。例えば、ライン入出力端子５０にＴＶモニタ等に接続することで、記録しようとしている映像又は再生映像をＴＶモニタ画面上で観察できる。
【００３３】
操作装置５２は、撮像操作用に、シャッタボタン５２ａ、動画像撮影スイッチ５２ｂ、停止スイッチ５２ｃ及び再生スイッチ５２ｄ等を具備し、静止画撮影、並びに、動画像の記録、停止及び再生等をシステム制御装置２６に指示するのに使用される。また、操作装置５２は、ＥＶＦ４４の視度を調節する視度調整スライダ５２ｅ、撮影レンズ１２のズームを操作するズームスイッチ５２ｆ及び、動作モード（電源オフ、静止画モード、動画像モード、記録媒体再生モード又はテープ再生モード）を設定するモードダイヤル５２ｇを具備する。
【００３４】
さらに、操作装置５２は、各種設定の選択・決定のための、メニューボタン５２ｈ、十字キー５２ｉ及び決定ボタン５２ｊ等を具備する。
【００３５】
計時装置５４は、リアルタイムクロック（ＲＴＣ）及びバックアップ電池を具備し、システム制御装置２６からの要求に応じて、日時情報を返信する。
【００３６】
なお、撮像装置１０は、マイクとマイクにより入力された音声信号を記録再生する手段を具備するが、本実施例の特徴とは関係ないので、説明を省略する。
【００３７】
次に、図４乃至図７を参照して、本実施例の動作を説明する。図４はＥＶＦ４４のメニュー表示例を示し、図５は、アイリス調整が選択されたときのＥＶＦ４４の画面例を示す。図６及び図７は液晶表示パネル４６の表示例である。図８はメモリ３０に格納されているプログラムの処理方法の説明図である。
【００３８】
撮像モードでは、ＣＣＤ撮像素子１６は、光学レンズ１２による光学像を電気信号に変換する。ＣＤＳ／ＡＧＣ回路２０は、ＣＣＤ撮像素子１６からのアナログ画像信号をサンプリング及びゲインコントロールする。Ａ／Ｄ変換器２２は、ＣＤＳ／ＡＧＣ回路２０からのアナログ画像信号をデジタル画像信号に変換する。カメラ信号処理装置２４は、Ａ／Ｄ変換器２２からのデジタル画像信号に上述の処理を施して、システム制御装置２６に供給する。システム制御装置２６は、ビデオ制御装置３８を介してＥＶＦ４４に画像データを供給する。このようにして、被写体の映像がＥＶＦ４４に表示され、同時に、図４に示すように、各種の操作メニューも表示される。操作メニューは、複数の選択項目があり、ユーザはこれらの選択項目から任意の項目を選択し、選択した項目についての機能を制御できる。
【００３９】
図４に示すように操作メニューが表示されている状態で、ユーザは、操作装置５２を使って、各種操作（「メニュー」、「逆光補正」、「アイリス調整」、「エフェクト」及び「戻る」等）が行える。例えば、「アイリス調整４４ｃを選択すると、図５に示すように、絞りの開口度指示バー４４ｈ、増加マーク４４ｆ及び減少マーク４４ｇがＥＶＦ４４の画面上に表示される。ユーザは、操作装置５２の例えば十字キー等を操作して、絞り値を決定する。
【００４０】
ユーザが液晶表示パネル４６を図２に示す対面位置又は図３に示す外向き位置に置くと、ユーザは、タッチパネル４７を利用可能になり、ＥＶＦ４４の画面を見つつ、ブラインドタッチでメニュー操作を行える。このとき、混乱を避けたければ、システム制御装置２６は、操作装置５２からの各種操作（メニューボタン、逆光補正、エフェクトボタン等）が無効にしてもよい。
【００４１】
図６は、利用可能になったタッチパネル４７のタッチ検出エリア区分を示す。液晶表示パネル４６のタッチパネル４７の左側を上下方向でほぼ３等分し、上側を上感応域（感応エリア）４７ａとし、下側を下感応エリア４７ｂとする。上感応エリア４７ａと下感応エリア４７ｂの間を、タッチ操作に感応しないブランクエリア４７ｄ（タッチしても無視されるエリア）とする。ブランクエリア４７ｄは、操作状況に応じて、上感応エリア４７ａ又は下感応エリア４７ｂに合体される。
【００４２】
タッチパネル４７の残りの部分を決定エリア４７ｃとする。決定エリア４７ｃは、上感応エリア４７ａ及び下感応エリア４７ｂのほぼ2倍の横幅を具備する。
【００４３】
好ましくは、液晶表示パネル４６には、上感応エリア４７ａ、下感応エリア４７ｂ及び決定エリア４７ｃを視覚的に確認できるような文字又は画像を表示しておく。
【００４４】
上感応エリア４７ａは、メニュー表示の上への移動、又は上側の要素の選択に対応し、下感応エリア４７ｂは、メニュー表示の下への移動、又は、上側の要素の選択に対応する。
【００４５】
例えば、図４に示すように、「メニュー」４４ａが選択されている状態で、ユーザが下感応エリア４７ｂに１回触れることにより、「逆光補正」メニュー４４ｂに変更されると共に、タッチパネル４７のタッチ位置情報がシステム制御装置２６を介してメモリ３０に記憶される。システム制御装置２６は、メモリ３０に記憶されるタッチパネル４７のタッチ位置情報に基づき、ビデオ制御装置３８と連動して、図７に示すように、タッチパネルの下感応エリア４７ｂを、ブランクエリア４７ｄを加えた範囲に拡げる。これにより、下感応エリア４７ｂの面積が２倍になる。
【００４６】
ユーザが、もう一度、下感応エリア４７ｂに触れると、システム制御装置２６は、「逆光補正」メニュー４４ｂから「アイリス調整」メニュー４４ｃに変更し、同時に、タッチパネル４７の位置情報に関するメモリ３０の記憶を更新する。この段階で、ユーザがタッチパネル４７の決定エリア４７ｃに触れると、システム制御装置２６は、ＥＶＦ４４の画面内に、図５に示すようなアイリス調整操作の画面を表示する。
【００４７】
このとき、上感応エリア４７ａは、ＥＶＦ４４の増加マーク４４ｆに対応し、下感応エリア４７ｂは、ＥＶＦ４４の減少マーク４４ｇに対応する。即ち、システム制御装置２６は、撮影者が上感応エリア４７ａをタッチしたときには、絞りを一段開く指示であると理解し、撮影者が下感応エリア４７ｂをタッチしたときには、絞りを一段閉じる指示であると理解する。決定エリア４７ｃの操作に応じて、システム制御装置２６は、最終的に、指示された絞り値に絞りを制御する。
【００４８】
このように、本実施例では、タッチパネル４７の下感応エリア４７ｂの操作に対して、ブランクエリア４７ｄを下感応エリア４７ｂに含めることで下感応エリア４７ｂの面積を倍増する。また、同様に、上感応エリア４７ａの操作に対して、ブランクエリア４７ｄを上感応エリア４７ａに含めることで上感応エリア４７ａの面積を倍増する。
【００４９】
そのため、直前に上感応エリア４７ａをタッチし、引き続いて上を指示しようとしているにもかかわらず、操作面が見えないためブランクエリア４７ｄをタッチした場合にも、確実に上方向を指示することができる。
【００５０】
この様に、本実施例では、直前の操作状況に応じて、タッチパネルの感応域の面積を拡大縮小することにより、ブラインドタッチでも、適切に操作することができる。
【００５１】
図８は、今回のタッチ領域と前回のタッチ領域との組み合わせに対する、システム制御装置２６の制御動作例を示す。
【００５２】
タッチセンサ４７以外にも、連続する又は離散的な複数の感知点を具備する非接触センサ、例えば、静電式又は熱感知式等の近接センサを使ってもよい。
【００５３】
タッチパネル４７が利用可能なとき、操作装置５２からの各種操作（メニューボタン、逆光補正、エフェクトボタン等）を無効としても、有効のままでも、どちらでもよい。
【実施例２】
【００５４】
ＥＶＦ４４の画面内でメニューを左右に並べて配置したときのように、左右で選択するときには、タッチパネル４７でも、タッチ域の下側に左右に並べて感応エリアを配置し、上下の選択に対して、図6に示したように、タッチ域の左側（又は右側）に上下に並べて感応エリアを配置するようにしてよい。即ち、表示画面上の操作マークの配置に応じて、タッチパネル４７の感応域を同様に並べて配置し、前回の操作位置に応じて、何れかの感応域を拡大する。
【００５５】
図８は、ＥＶＦ４４内でメニューを左右に並べて配置した画面例であり、図９は、図８に示すメニュー表示に対するタッチパネル４７の感応域の配置を示す。図８に示す例では、「メニュー」１４４ａ、「逆光補正」１４４ｂ、「アイリス調整」１４４ｃ、「エフェクト」１４４ｄ及び「戻る」１４４ｅが左右に並べて配置されている。
【００５６】
図８に示すメニュー表示に対して、液晶表示パネル４６のタッチパネル４７の下側を左右方向でほぼ３等分し、左側を左感応エリア１４７ｅとし、右側を右感応エリア１４７ｆとする。左感応エリア１４７ｅと右感応エリア１４７ｆの間を、タッチ操作に感応しないブランクエリア１４７ｈ（タッチしても無視されるエリア）とする。ブランクエリア１４７ｄは、ブランクエリア４７ｄと同様に、操作状況に応じて、左感応エリア１４７ｅ又は右感応エリア１４７ｆに合体される。
【００５７】
タッチパネル４７の残りの部分を決定エリア１４７ｇとする。決定エリア１４７ｇは、左感応エリア１４７ｅ及び右感応エリア１４７ｆのほぼ2倍の縦幅を具備する。
【００５８】
好ましくは、液晶表示パネル１４６には、左感応エリア１４７ｅ、右感応エリア１４７ｆ及び決定エリア１４７ｇを視覚的に確認できるような文字又は画像を表示しておく。
【００５９】
左感応エリア１４７ｅは、メニュー表示の左への移動、又は左側の要素の選択に対応し、右感応エリア１４７ｆは、メニュー表示の右への移動、又は、右側の要素の選択に対応する。
【００６０】
例えば、図８に示すように、「メニュー」１４４ａが選択されている状態で、ユーザが右感応エリア１４７ｆに１回触れることにより、「逆光補正」メニュー１４４ｂに変更されると共に、タッチパネル４７のタッチ位置情報がシステム制御装置２６を介してメモリ３０に記憶される。システム制御装置２６は、メモリ３０に記憶されるタッチパネル４７のタッチ位置情報に基づき、ビデオ制御装置３８と連動して、図１０に示すように、タッチパネルの右感応エリア１４７ｆを、ブランクエリア１４７ｈを加えた範囲に拡げる。これにより、右感応エリア１４７ｆの面積が２倍になる。
【００６１】
ユーザが、もう一度、右感応エリア１４７ｆに触れると、システム制御装置２６は、「逆光補正」メニュー４４ｂから「アイリス調整」メニュー４４ｃに変更し、同時に、タッチパネル４７の位置情報に関するメモリ３０の記憶を更新する。この段階で、ユーザがタッチパネル４７の決定エリア１４７ｇに触れると、システム制御装置２６は、ＥＶＦ４４の画面内に、図１１に示すようなアイリス調整操作の画面を表示する。勿論、図５に示すような操作画面でも良いが、左右の操作と上下の操作が混在する例を説明するために、図１１に示す操作画面を示す。
【００６２】
図１１に示すような上下の操作画面に対し、システム制御装置２６は、タッチパネルの感応域を図１２に示すように、図6と同様に配置する。即ち、タッチパネル４７の左側を上下方向でほぼ３等分し、上側を上感応エリア１４７ａとし、下側を下感応エリア１４７ｂとする。上感応エリア１４７ａと下感応エリア１４７ｂの間を、タッチ操作に感応しないブランクエリア１４７ｄ（タッチしても無視されるエリア）とする。ブランクエリア１４７ｄは、操作状況に応じて、上感応エリア１４７ａ又は下感応エリア１４７ｂに合体される。
【００６３】
タッチパネル４７の残りの部分を決定エリア１４７ｃとする。決定エリア１４７ｃは、上感応エリア１４７ａ及び下感応エリア１４７ｂのほぼ２倍の横幅を具備する。
【００６４】
上感応エリア１４７ａは、ＥＶＦ４４の増加マーク１４４ｆに対応し、下感応エリア１４７ｂは、ＥＶＦ４４の減少マーク１４４ｇに対応する。即ち、システム制御装置２６は、撮影者が上感応エリア１４７ａをタッチしたときには、絞りを一段開く指示であると理解し、撮影者が下感応エリア１４７ｂをタッチしたときには、絞りを一段閉じる指示であると理解する。また、下感応エリア１４７ｂの連続した操作に対してブランクエリア１４７ｄを下感応エリア１４７ｂに含めることで下感応エリア１４７ｂの面積を倍増し、同様に、上感応エリア１４７ａの操作に対して、ブランクエリア４７ｄを上感応エリア４７ａに含めることで上感応エリア４７ａの面積を倍増する。このように、直前の操作状況に応じて、タッチパネルの感応域の面積を拡大縮小することにより、ブラインドタッチでも、適切に操作することができる。決定エリア１４７ｃの操作に応じて、システム制御装置２６は、最終的に、指示された絞り値に絞りを制御する。
【００６５】
アイリス調整が終了し、図８に示す操作画面に戻った段階で、システム制御装置２６は、タッチパネル４７の感応域を図９に示す構成に戻す。
【００６６】
直前に操作した感応エリアを拡大する実施例を説明したが、これらの実施例は、同じ感応エリアを連続して操作する可能性が高いケースに適している。例えば、上エリアタッチ後、ブランクエリアを上エリアに含めることで、前回のタッチ位置から少し下をタッチした場合に、下方向の指示になってしまうことを防止できる。これに対して、異なる感応エリアを選択する可能性が高いケースでは、逆に、非操作の感応エリアを拡大することで、良好な操作性を得ることができる。このケースでは、例えば、上エリアのタッチに対し、ブランクエリアを下エリアに加える。これにより、上方向の指示の後に下方向を指示したい場合に、誤ってブランクエリアをタッチしても、下エリアの指示と認識されるようになり、誤操作の可能性を低減できる。
【００６７】
撮像装置に適用した実施例を説明したが、本発明は、モニタ画面を見つつ、タッチパネルを手探り状態で操作するような環境で使用する電子機器一般に適用して、有用な操作性を享受できるものである。例えば、顕微鏡観察下で何かの操作をするケースや、ヘッドマウントディスプレイで内容を観察しながら、手元のタッチパネルでメニュー操作する電子機器等が考えられる。
【図面の簡単な説明】
【００６８】
【図１】本発明の一実施例である撮像装置の概略構成ブロック図である。
【図２】本実施例の液晶表示パネルを開いた状態の外観図である。
【図３】本発明の液晶表示パネルを外向きにした状態の外観図である。
【図４】ＥＶＦ４４の表示メニュー例である。
【図５】アイリス調整メニューの画面例である。
【図６】タッチパネル４７の感応域の配置例である。
【図７】下感応エリア４６ｂのタッチ後のタッチパネル４７の感応域の配置例である。
【図８】実施例２のＥＶＦ４４の表示メニュー例である。
【図９】図８に対するタッチパネル４７の感応域の配置例である。
【図１０】右感応エリア１４６ｆのタッチ後の、タッチパネル４７の感応域の配置例である。
【図１１】アイリス調整メニューの画面例である。
【図１２】図１１に示す操作画面に対するタッチパネル４７の感応域の配置例である。
【符号の説明】
【００６９】
１０  撮像装置
１２  撮影レンズ
１４  レンズ駆動装置
１６  撮像素子
１８  タイミングジェネレータ（ＴＧ）
２０  ＣＤＳ／ＡＧＣ回路
２２  Ａ／Ｄ変換器
２４  カメラ信号処理装置
２６  システム制御装置
２８  メモリ制御装置
３０  メモリ
３２  記録再生装置
３４  記録媒体
３６  デジタルデータＩ／Ｆ
３８  ビデオ制御装置
３８ａ  検出装置
４０  テープ記録再生装置
４２  磁気テープ
４４  電子ビューファインダ（ＥＶＦ）
４６  液晶表示パネル（ＬＣＤ）
４７  タッチパネル
４８  回転ヒンジ
５０  ライン入出力端子
５２  操作装置
５４  計時装置
５２ａ  シャッタボタン
５２ｂ  動画像撮影スイッチ
５２ｃ  停止スイッチ
５２ｄ  再生スイッチ
５２ｅ  視度調整スライダ
５２ｆ  ズームスイッチ
５２ｇ  モードダイヤル
【図１】
2008146429.tif 000003
【図２】
2008146429.tif 000004
【図３】
2008146429.tif 000005
【図４】
2008146429.tif 000006
【図５】
2008146429.tif 000007
【図６】
2008146429.tif 000008
【図７】
2008146429.tif 000009
【図８】
2008146429.tif 000010
【図９】
2008146429.tif 000011
【図１０】
2008146429.tif 000012
【図１１】
2008146429.tif 000013
【図１２】
2008146429.tif 000014